(57)【特許請求の範囲】
【請求項１】
中空のポリカーボネート製シャフトと、
前記シャフトの少なくとも一端の外周に設けられたグリップ部と、
前記シャフトの少なくとも一端に内挿された錘と、を有するゴルフスイング練習器具であって、
前記シャフトの内径及び外径がそれぞれ６〜１０ｍｍ及び１４〜２０ｍｍであり、
前記錘の比重及び長さがそれぞれ５〜２２及び５〜２０ｃｍであり、
前記ゴルフスイング練習器具の全長が９０〜１３０ｃｍであり、
撓り時の先端部分から静止時の前記シャフトまでの垂線の距離（撓り幅）が７０〜１００ｃｍであること、
を特徴とするゴルフスイング練習器具。
【請求項２】
前記錘が、前記シャフトの内径と略同一の横断面を有する円柱状の差込部と、前記シャフトの外径と略同一の横断面を有する円柱状の錘本体と、を有し、
前記差込部は前記シャフトに挿入され、前記錘本体は前記シャフト内に入り込むことなく前記グリップ部に覆われていること、
を特徴とする請求項１に記載のゴルフスイング練習器具。
【発明の詳細な説明】
【技術分野】
【０００１】
本発明は、ゴルフスイングを練習するために用いることができるゴルフスイング練習器具に関し、更に詳しくは、ゴルフスイングの正確なフォームを体得しつつ、ゴルフクラブのシャフトの撓りと戻りを体感してクラブヘッドがゴルフボールに当たる最適なインパクトゾーンを実現することができ、併せてスイングスピードやスイングパワーの向上を図ることができる安価なゴルフスイング練習器具に関する。
【背景技術】
【０００２】
従来、ゴルフスイングを練習するために様々な練習器具が用いられており、例えば、ゴルフクラブを模した棒状のゴルフスイング練習器具が知られている。当該ゴルフスイング練習器具は、素振りを反復して行うことによって正確なスイングフォームを体得しつつ、スイングスピードやスイングパワーを向上させるものである。
【０００３】
例えば、特許文献１（特開２００２−２０４８４５号公報）においては、表面に握り部分としてのグリップ部を有する剛性シャフト部と、シャフト部の先端から延び、可撓性と共に略直線状態への復元弾性を有する振り子部とを有するゴルフスイング練習器具が開示されている。
【０００４】
上記特許文献１に記載のゴルフスイング練習器具を用いれば、素振り時において、スイング練習器具の先端部が体の予期せぬ位置に当たってしまうことを防止できると共に、スイングの矯正を最適な条件で行うことができるとされている。
【０００５】
また、特許文献２（特開2013‐70926号公報）においては、シャフトの一端側に一方側グリップが設けられると共に、他端側に他方側グリップが設けられたゴルフスイング練習器具であって、一方側グリップを含み、かつそのグリップが設けられている部分を一方側グリップ部分とし、他方側グリップを含み、かつそのグリップが設けられている部分を他方側グリップ部分としたとき、一方側グリップ部分を他方側グリップ部分に対し高重量に調整し、他方側グリップ部分を固定した状態で一方側グリップ部分を振動させた際の振動数を「Ｆ１（ｃｐｍ）」とし、一方側グリップ部分を固定した状態で他方側グリップ部分を振動させた際の振動数を「Ｆ２（ｃｐｍ）」としたとき、「Ｆ１＜Ｆ２」かつ「Ｆ１＝９０ｃｐｍ〜２２０ｃｐｍ」となるように調整したことを特徴とするゴルフスイング練習器具が開示されている。
【０００６】
上記特許文献２に記載のゴルフスイング練習器具を用いれば、一方側グリップを先端にして、他方側グリップを握ってスイングした際には、先端側の重量が重いため、十分な重量感を得ることができる上、更に、一方側グリップ部分側の振動数を所定値に調整しているため、上記の重量感と共に、適度な撓りを体感することができ、心地良く快適にスイングすることができるとしている。また他方側グリップを先端にして、一方側グリップを握ってスイングした際には、先端側が軽いため、重量感をほとんど感じることなく、高速でスピード感のあるスイングを行うことができるとされている。
【先行技術文献】
【特許文献】
【０００７】
【特許文献１】特開２００２−２０４８４５号公報
【特許文献２】特開２０１３−７０９２６号公報
【発明の概要】
【発明が解決しようとする課題】
【０００８】
しかしながら、上記特許文献１のゴルフスイング練習器具は、スイング時においてゴルフスイング練習器具が大きく撓ることを目的としたものであり、非常に柔らかい弾性素材から構成されたものである。このため、当該ゴルフスイング練習器具は、クラブやアイアンに見立てて素振りを行い、スイング感覚を多少感じるに過ぎないものであった。
【０００９】
また、上記特許文献２のゴルフスイング練習器具は、グラスファイバー製のシャフトを有するものであり、スイング時の撓りが不足しているために素振りで正しいインパクトゾーンを体得することが困難であった。また、グラスファイバー製のシャフトによって製品が高価になってしまうという問題があった。
【００１０】
そこで、本発明は、上記問題に対処すべくなされたもので、その解決しようとする課題は、ゴルフスイングの正確なフォームを体得しつつ、ゴルフクラブのシャフトの撓りと戻りを体感してクラブヘッドがゴルフボールに当たる最適なインパクトゾーンを身に付けることができ、併せてスイングスピードやスイングパワーの向上を図ることができる安価なゴルフスイング練習器具を提供することにある。
【課題を解決するための手段】
【００１１】
本発明者は上記目的を達成すべく、ゴルフスイング練習器具の形状、構造及び素材等について鋭意研究を重ねた結果、スイング時の撓り及び戻りが適度であり、製品を安価とするためには、素材として従来は用いられていなかったポリカーボネートを採用し、かつシャフトを特定の形状及び構造とすることが極めて有効であることを見出し、本発明に到達した。
【００１２】
上記課題を解決するため、本発明は、
中空のポリカーボネート製シャフトと、
前記シャフトの少なくとも一端の外周に設けられたグリップ部と、
前記シャフトの少なくとも一端に内挿された錘と、を有するゴルフスイング練習器具であって、
前記シャフトの内径及び外径がそれぞれ６〜１０ｍｍ及び１４〜２０ｍｍであり、
前記錘の比重及び長さがそれぞれ５〜２２及び５〜２０ｃｍであり、
前記ゴルフスイング練習器具の全長が９０〜１３０ｃｍであり、
撓り時の先端部分から静止時の前記シャフトまでの垂線の距離（撓り幅）が７０〜１００ｃｍであること、
を特徴とするゴルフスイング練習器具を提供する。
【００１３】
上記本発明のゴルフスイング練習器具においては、
前記錘が、前記シャフトの内径と略同一の横断面を有する円柱状の差込部と、前記シャフトの外径と略同一の横断面を有する円柱状の錘本体と、を有し、
前記差込部は前記シャフトに挿入され、前記錘本体は前記シャフト内に入り込むことなく前記グリップ部に覆われていること、
が好ましい。
【００１４】
また、上記本発明のゴルフスイング練習器具においては、
前記シャフトが押出成型品であること、が好ましい。
【発明の効果】
【００１５】
本発明のゴルフスイング練習器具は、シャフトをポリカーボネート製としているため、安価に製造することができる。また、グリップ部に挿入・固定される錘の重量及び形状等によってゴルフスイング練習器具の重量バランスを調整することができ、所望の重量バランスでゴルフスイングの練習を行うことができる。加えて、シャフトの両端にグリップ部を有しているため、どちらのシャフトを利用しても素振りをすることができる。
【００１６】
シャフトの両端にグリップ部を設け、一方に重い錘を内挿し、他方に軽い錘を内挿する（又は錘を内挿しない）態様の場合、軽い方のグリップ部を握ってスイングすると、大きな遠心力が作用するため、重量感を得ることができ、スイングパワーを向上させる練習を行うことができる。一方で、重い方のグリップ部を握ってスイングした場合には、重さをあまり感じることなくスピード感が得られ、スイングスピードを向上させる練習を行うことができる。シャフトの一端には、錘の代わりに、ドライバー又はアイアンのクラブヘッドを取り付けてもよい。
【００１７】
また、本発明のゴルフスイング練習器具では、シャフトの内径及び外径をそれぞれ６〜１０ｍｍ及び１４〜２０ｍｍとすることで、より確実に、スイング時における適当なシャフトの撓り及び戻りや、ゴルフスイング練習器具の重量を実現することができる。これにより、より確実に、シャフトの撓りを意識しながら素振りを繰り返すことで、正しいインパクトゾーンを体得することができる。
【００１８】
また、本発明のゴルフスイング練習器具では、グリップ部に挿入・固定される錘の比重及び長さをそれぞれ５〜２２及び５〜２０ｃｍとし、比較的比重の大きな長い錘を用いることで、略円筒形状のグリップ部に錘を効果的に挿入・固定することができる。
【００１９】
更に、本発明のゴルフスイング練習器具では、全長を９０〜１３０ｃｍとすることで、使用者の体格に合わせて適当なゴルフスイング練習機器の長さを選択することができる。
【００２０】
そして、本発明のゴルフスイング練習器具は、上記のような構造により、通常のゴルフクラブに対する利点として、安価で簡易な構造によって通常のゴルフクラブと同等以上の撓りと戻りを体感することができ、総じて、ゴルフスイングの正確なフォームを体得しつつ、ゴルフクラブのシャフトの撓りと戻りを体感してクラブヘッドがゴルフボールに当たる最適なインパクトゾーンを身に付けることができ、併せてスイングスピードやスイングパワーの向上を図ることができる。
【図面の簡単な説明】
【００２１】
【図１】本発明の一実施形態に係るゴルフスイング練習器具の正面図である。
【図２】（ａ）は本発明のゴルフスイング練習器具に用いる錘の正面図、（ｂ）は同錘の平面図、（ｃ）は同錘の底面図である。
【図３】本発明の一実施形態に係るゴルフスイング練習器具のグリップ部周辺を拡大して示す断面図である。
【図４】本発明のゴルフスイング練習器具における撓り幅Ｘを説明するための模式図である。
【発明を実施するための形態】
【００２２】
以下、図面を参照しながら本発明のゴルフスイング練習器具の代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００２３】
図１に、本発明の一実施形態に係るゴルフスイング練習器具の正面図を示す。図示のように、ゴルフスイング練習器具１は、シャフト２と、グリップ部４と、を有しており、グリップ部４はシャフト２の両端に設けられている。
【００２４】
シャフト２はポリカーボネート製であり、中空パイプ形状である。本発明者は、種々の素材及び構造を試し、ポリカーボネート製で中空パイプ形状のシャフト２であれば、スイング時の適度な撓り及び戻りを体感できることを見出した。また、本発明者は、本発明の効果をより確実に得るためには、中空パイプ形状であるシャフト２の内径及び外径はそれぞれ６〜１０ｍｍ及び１４〜２０ｍｍであることが好ましいことを、鋭意実験を繰り返すことにより見出した。即ち、ポリカーボネート製中空パイプの内径及び外径を上記の値とすることで、ゴルフスイング練習器具として理想的な重量及び機械的特性（スイング時の撓り及び戻り等）を有するシャフト２を安価に製造することができる。
【００２５】
中空パイプ形状のポリカーボネート製であるシャフト２の製造方法は特に限定されず、本発明の効果を損なわない範囲で従来公知の種々の製造方法を用いることができるが、生産性及び製品価格の観点から、押出成型法又は射出成型法を用いることが好ましい。一般的には、ポリカーボネート樹脂組成物の押出成型又は射出成型は困難であるが、本発明者は、当該組成物の組成を適宜工夫することにより、中空パイプ形状のシャフトの作製を可能とした。押出成型であればウェルドラインが表れず綺麗な外観を有するシャフト２とすることができる。
【００２６】
ゴルフスイング練習器具１は、全長が９０〜１３０ｃｍである。上述のとおり、ゴルフスイング練習器具１の全長を９０〜１３０ｃｍとすることで、上記のような撓り及び戻りを確実に得られるように、使用者の体格や身長に合わせて適当なゴルフスイング練習機器の長さを選択することができる。
【００２７】
グリップ部４の一方は、一般的なクラブヘッドとしてもよい。シャフト２の一方にグリップ、他方にクラブヘッドを設けることで、通常のゴルフクラブに近い感覚でゴルフスイングの練習をすることができる。なお、用いるクラブヘッドは特に限定されず、ドライバー及びアイアン等、種々のヘッドを用いることができる。
【００２８】
次に、図２に、本発明のゴルフスイング練習器具に用いる錘の正面図（ａ）、平面図（ｂ）、及び底面図（ｃ）を示す。錘６の形状は特に限定されず、本発明の効果を損なわない範囲で種々の形状とすることができるが、錘本体８と差込部１０とを有していることが好ましい。
【００２９】
また、差込部１０の形状は特に限定されないが、シャフト２の内径に挿入可能な形状が好ましく、シャフト２の内径に略同一の横断面を有する円柱状で軸状であることがより好ましい。差込部１０の形状がシャフト２の内径に略同一な円柱状であれば、差込部１０をシャフト２の内径に挿入することで機械的に接続することが可能となる。加えて、差込部１０の表面に接着剤を塗布した状態でシャフト２の内径に挿入することで、より強固に錘６をシャフト２に固定することができる。
【００３０】
また、錘本体８の形状は特に限定されないが、シャフト２の外径と略同一な直径を有する略円柱状であることが好ましい。錘本体８をシャフト２の外径と略同一な直径を有する円柱状とすることで、差込部１０をシャフト２の内径に挿入した際、錘本体８はシャフト２内部に入り込むことに対するストッパーとして用いることができるだけでなく、後述のグリップ本体の被覆が容易となる。
【００３１】
錘６の比重及び長さはそれぞれ５〜２２及び５〜２０ｃｍであることが好ましい。これにより、より確実に、グリップ部４に重みを与えることができ、重みを実感しつつゴルフスイングの練習をすることができる。また、比較的比重が大きな材質の長い錘を用いることで、グリップ部４内部の限られた空間に好適に錘６を挿入・固定することができる。
【００３２】
錘６に用いる材料は、比重が５〜２２であれば特に限定されず、本発明の効果を損なわない範囲で従来公知の種々の材料を用いることができるが、例えば、亜鉛（比重７．１４）、鉄（比重７．８６）、銅（比重８．９３）、鉛（比重１１．３４）等の汎用金属や、真鍮（比重８．４５）等のそれらの合金を用いることが好ましい。
【００３３】
例えば、錘６を一方のグリップ部４のみに挿入・固定する場合は、錘６の重量がゴルフスイング練習器具１の両端における重量差及びゴルフスイング練習器具１全体の重量増分となる。また、錘６を両方のグリップ部４に挿入・固定する場合は、左右に挿入・固定した錘６の重量差がゴルフスイング練習器具１の両端における重量差となり、錘６の合計重量がゴルフスイング練習器具１全体の重量増分となる。
【００３４】
図３に、本発明の一実施形態に係るゴルフスイング練習器具のグリップ部周辺を拡大して示す断面図を示す。グリップ部４は、シャフト２の端部に錘６を挿入・固定した状態でグリップ本体１２を被覆することで形成することができる。また、シャフト２及び錘６とグリップ本体１２との間に両面テープを配置することで、シャフト２及び錘６とグリップ本体１２とをより強固に固定することができる。
【００３５】
グリップ本体１２は、弾性材料を用いて成形されたものであり、グリップ本体１２の外周面には、例えばシボ加工により、滑り止めを兼ねた細かい凹凸模様等が形成されていることが好ましい。また、グリップ本体１２の内径は一定であるが、外径はグリップ本体１２の一端側（グリップエンド側）に近づくにつれて漸増することが好ましい。
【００３６】
グリップ本体１２の弾性材料としては、例えばゴムや合成樹脂エラストマー等が好ましく使用されるが、これらに限定されるものではなく、インサート成形が可能でグリップに適した弾力性や柔軟性を有する材料であれば、全て使用可能である。
【００３７】
次に、図４に、本実施形態のゴルフスイング練習器具１における撓り幅Ｘを説明するための模式図を示す。本実施形態のゴルフスイング練習器具１は、図４に示すように、撓り時Ｐ１の先端部分から静止時Ｐ２のシャフトまでの垂線の距離（撓り幅Ｘ）が７０（好ましくは８０）〜１００ｃｍである。
【００３８】
本実施形態のゴルフスイング練習器具１は、上記のような構造において、シャフト２の内径及び外径をそれぞれ６〜１０ｍｍ及び１４〜２０ｍｍとし、錘６の比重及び長さをそれぞれ５〜２２及び５〜２０ｃｍとし、かつ、ゴルフスイング練習器具１の全長を９０〜１３０ｃｍとすることにより７０〜１００ｃｍという従来にない撓り幅Ｘを実現することができる。なお、この撓り幅Ｘは、スイング時の動画撮影をしてコマ送りすることや、ゴルフスイング練習器具１の一端を万力等で固定しながら曲げて行き、破断直前の他端の位置を特定すること等により、測定することができる。
【００３９】
このような従来になり撓り幅Ｘにより、特に、通常のゴルフクラブに対する利点として、安価で簡易な構造によって通常のゴルフクラブと同等以上の撓りと戻りを体感することができ、総じて、ゴルフスイングの正確なフォームを体得しつつ、ゴルフクラブのシャフトの撓りと戻りを体感してクラブヘッドがゴルフボールに当たる最適なインパクトゾーンを身に付けることができ、併せてスイングスピードやスイングパワーの向上を図ることができる。
【００４０】
以上のように構成された本実施形態のゴルフスイング練習器具を用いてスイングパワーの向上を図る場合、使用者は適度な重量感と撓りを体感でき、素振りを繰り返すことでパワーアップ効果及びストレッチ効果を得ることができる。加えて、スイングの正確なリズムやタメ等をチェックすることができ、理想的なゴルフスイングを短期間で効果的に体得することができる。
【００４１】
また、スイングスピードの向上を図る場合、使用者は十分なスピード感を確実に体感することができる。加えて、正確なリリースポイントやバックスイング時のコッキング等をチェックでき、理想的なゴルフスイングを短期間で効果的に体得することができる。
【００４２】
以上、本発明の代表的な実施形態について説明したが、本発明はこれらのみに限定されるものではなく、種々の設計変更が可能であり、それら設計変更は全て本発明の技術的範囲に含まれる。即ち、例えばシャフトの一端にグリップ、他端にクラブヘッドを設けたゴルフスイング練習器具、シャフトの一端にグリップ、他端にクラブヘッドを設け、グリップに錘を内挿したゴルフスイング練習器具、シャフトの両端にグリップを設け、一方のグリップのみに錘を内挿したゴルフスイング練習器具、及びシャフトの両端にグリップを設け、両方のグリップに錘を内挿したゴルフスイング練習器具等は全て本発明の技術的範囲に含まれる。
【符号の説明】
【００４３】
１・・・ゴルフスイング練習器具、
２・・・シャフト、
４・・・グリップ部、
６・・・錘、
８・・・錘本体、
１０・・・錘差込部、
１２・・・グリップ本体。
【要約】
【課題】ゴルフスイングの正確なフォームを体得しつつ、ゴルフクラブのシャフトの撓りと戻りを体感してクラブヘッドがゴルフボールに当たる最適なインパクトゾーンを身に付けることができ、併せてスイングスピードやスイングパワーの向上を図ることができる安価で簡易な構造のゴルフスイング練習器具を提供する。
【解決手段】中空のポリカーボネート製シャフトと、シャフトの少なくとも一端の外周に設けられたグリップ部と、シャフトの少なくとも一端に内挿された錘と、を有するゴルフスイング練習器具であって、シャフトの内径及び外径がそれぞれ６〜１０ｍｍ及び１４〜２０ｍｍであり、錘の比重及び長さがそれぞれ５〜２２及び５〜２０ｃｍであり、ゴルフスイング練習器具の全長が９０〜１３０ｃｍであり、撓り時の先端部分から静止時のシャフトまでの垂線の距離（撓り幅）が７０〜１００ｃｍであること、を特徴とするゴルフスイング練習器具。
【選択図】図１【図１】
0005576000.tif 000002
【図２】
0005576000.tif 000003
【図３】
0005576000.tif 000004
【図４】
0005576000.tif 000005